(57)【要約】【課題】大当たり遊技の消化にかかる時間を短縮でき、ラッキー性を適度に高め、小当たりと大当たりの遊技性を楽しむことが可能で、遊技盤上位に大入賞口を設けた場合でも遊技球の衝突によって球樋が破損する恐れのない遊技機を提供することを課題とする。【解決手段】遊技盤面上位1/3の領域に、特別図柄始動口３１への遊技球の入球に基づいて開放する大当たり用大入賞口３５設け、遊技盤面下位1/3の領域に、特別図柄始動口３１への遊技球の入球に基づいて開放する小当たり用大入賞口３３を設け、大当たり用大入賞口３５と小当たり用大入賞口３３の間に特別図柄始動口３１及び図柄表示装置３４を備える。また、遊技盤２２の裏面側に各種入賞口に入球した遊技球を遊技機１０外に排出するための経路となる裏球樋８０を設置し、裏球樋８０の内側に減速用突起や緩衝部材又は補強部材等を設ける。【選択図】      図２
2005348966.tif 000002
【特許請求の範囲】
【請求項１】
遊技盤面上に発射された遊技球が入球可能な始動口と、
該始動口への遊技球の入球に基づき、図柄を変動表示する図柄表示装置と、
前記始動口への遊技球の入球に基づいて開放する大当たり用大入賞口および小当たり用大入賞口とを備え、
前記大当たり用大入賞口は遊技盤面上位1/3の領域に、前記小当たり用大入賞口は遊技盤面下位1/3の領域に各々設け、
前記大当たり用大入賞口と小当たり用大入賞口の間に前記始動口および前記図柄表示装置を備えることを特徴とする遊技機。
【請求項２】
前記小当たり用大入賞口の開放時に入球した遊技球により所定条件が満たされた場合に所定の付加価値を発生させることを特徴とする請求項１記載の遊技機。
【請求項３】
遊技盤裏面側に各種入賞口に入球した遊技球を遊技機外に排出するための経路となる裏球樋を設け、該裏球樋に遊技球の衝突による破損を抑制または防止するための破損防止手段を備えたことを特徴とする請求項１または請求項２記載の遊技機。
【発明の詳細な説明】
【技術分野】
【０００１】
この発明は、遊技機に関するものである。詳しくは、大当たり遊技と小当たり遊技との２つの遊技状態を有する遊技機に関する。
【背景技術】
【０００２】
従来、大当たりと小当たりという２つの当たり形態を備えた遊技機もある。この大当たりと小当たりは、遊技盤面上位の領域または遊技盤面下位の領域に設けられた大入賞口の開放動作で行われ、大入賞口の開放時間又は開放される回数などの差によって遊技者に付与される価値に格差を設け、その価値の大きいものを大当たり、小さいものを小当たりとしている。これらの遊技機の中には、小当たり時の遊技者に与える興趣の向上を狙って、小当たり時に開放された大入賞口に遊技球が入球し、所定条件を満たした場合に大当たりを発生させる遊技機もある（特許文献１参照）。
【０００３】
また、近年においては、大入賞口を２つ設けて、大当たり遊技時に２つの大入賞口を狙う面白さを備えた遊技機がある。２つの大当たり用の大入賞口を遊技盤の上位と下位の領域とに配置し、大当たり時に、２つの大入賞口を交互に繰り返し開閉動作させる遊技機もある（特許文献２参照）。
【特許文献１】特開２００３−１９０５６０号公報
【特許文献２】特開２００３−１８１０２９号公報
【発明の開示】
【発明が解決しようとする課題】
【０００４】
しかしながら特許文献１のように、大当たりと小当たりの２つの当たり形態を備え、遊技盤面下位の領域のみに大入賞口を設ける構成とした場合、大当たり時に、規定入賞数の確保にかかる時間が長く、これによって大当たり遊技の消化にかかる時間が長くなってしまい、大当たり遊技中の無駄球が多くなる。その結果、単位時間当たりの平均大当たり回数が低くなり、単位時間当たりの平均変動回数も低くなってしまうという課題がある。
【０００５】
また、特許文献２のように、２つの大当たり用の大入賞口を遊技盤面上位の領域と下位の領域とに配置した構成とした場合、大当たりへと昇格する可能性を有する小当たり遊技を楽しむ予知はなく、遊技が大当たりのみで単調であるため面白味に欠けるという課題もある。
【０００６】
さらに、大入賞口を遊技盤面上位の領域に設けた場合には、大入賞口の開放タイミングを狙って発射することが容易であるため、大当たり時には効率的に大当たり遊技を行うことができ、単位時間当たりの平均変動回数を高くすることも可能となるが、小当たり時には初心者であるか熟練者であるかの遊技経験によって遊技そのものの興趣に差が生じてしまい、パチンコ機独特のラッキー性が乏しくなるという問題が生じる。また、このような遊技機に小当たりの機能を備え、小当たり時に開放された大入賞口への遊技球の入球によって大当たりが発生する構成とした場合には、大当たりが発生する確率が高くなりすぎ、小当たりから大当たりへ昇格する機能を好適に付加することができない問題がある。また、遊技盤面上位に設けられた大入賞口から入球した遊技球は流下速度が大きくなるため、排出経路となる裏球樋が遊技球の衝突によって破損する課題もある。
【０００７】
そこで、本発明は、大当たり遊技の消化にかかる時間を短縮することができ、ラッキー性を適度に高め、小当たりと大当たりの遊技性を楽しむことが可能で、遊技盤上位に大入賞口を設けた場合でも遊技球の衝突によって裏球樋が破損する恐れのない遊技機を提供することを課題とする。
【課題を解決するための手段】
【０００８】
上記に鑑みて、本発明の請求項1に記載の遊技機は、遊技盤面上に発射された遊技球が入球可能な始動口と、該始動口への遊技球の入球に基づき、図柄を変動表示する図柄表示装置と、前記始動口への遊技球の入球に基づいて開放する大当たり用大入賞口および小当たり用大入賞口とを備え、前記大当たり用大入賞口は遊技盤面上位1/3の領域に、前記小当たり用大入賞口は遊技盤面下位1/3の領域に各々設け、前記大当たり用大入賞口と小当たり用大入賞口の間に前記始動口および前記図柄表示装置を備えることを特徴とする。
【０００９】
前記大当たり用大入賞口とは、遊技球の入賞により大当たりを実行させる大入賞口であり、前記小当たり用大入賞口とは、遊技球の入賞により小当たりを実行させる大入賞口である。また、大当たりとは、前記大当たり用大入賞口の開放動作で行われ、例えば第一種と呼ばれる形式の公知の遊技機と同様に、前記大当たり用大入賞口の所定時間開放又は前記大当たり用大入賞口へ遊技球が所定個数入球する開放動作を設定回数行う処理などが挙げられる。また、小当たりとは、前記小当たり用大入賞口の開放動作で行われ、大当たりと比較し遊技者に付与される価値が小さい当たり形態などをいい、例えば小当たり時の前記小当たり用大入賞口の開放時間、規定入賞数、開放回数などと大当たり時の前記大当たり用大入賞口の開放時間、規定入賞数、開放回数などとに差を設け、遊技者に払い出す賞球数が大当たり時に比べ少ない処理などが挙げられる。
【００１０】
前記遊技盤面上位1/3の領域とは、遊技領域を上下方向に３等分したときの上位部であり、前記遊技盤面下位1/3の領域とは、遊技領域を上下方向に３等分したときの下位部である。
【００１１】
ここで、前記始動口および前記図柄表示装置は、どちらか一方または両方を複数個設けてもよい。また、前記始動口および前記図柄表示装置の配置についても、前記大当たり用大入賞口と小当たり用大入賞口の間に前記始動口および前記図柄表示装置があればよく、前記図柄表示装置の直下近傍に前記始動口を備える構成に限らない。例えば、複数の前記図柄表示装置の間に前記始動口を設ける構成や、複数の前記図柄表示装置を横に並べ、その下方に複数の前記始動口を横に並べる構成等としてもよい。
【００１２】
本発明の請求項２に記載の遊技機は、前記小当たり用大入賞口の開放時に入球した遊技球により所定条件が満たされた場合に所定の付加価値を発生させることを特徴とする。
【００１３】
前記所定条件とは、例えば小当たり時に前記小当たり用大入賞口に入賞した遊技球が特定領域に設定数以上進入すること等が挙げられる。また、所定の付加価値とは、例えば小当たりに引き続いて大当たりと同等の遊技を実行すること等が挙げられる。
【００１４】
本発明の請求項３に記載の遊技機は、遊技盤裏面側に各種入賞口に入球した遊技球を遊技機外に排出するための経路となる裏球樋を設け、該裏球樋に遊技球の衝突による破損を抑制または防止するための破損防止手段を備えたことを特徴とする。
【００１５】
前記裏球樋とは、遊技盤の裏面に設けられており、遊技盤面上位1/3の領域に設けられた前記大当たり用大入賞口や、特別図柄始動口、一般入賞口等に入球した遊技球を遊技機外に排出する経路である。また、前記破損防止手段とは、前記裏球樋を流下する遊技球の速度を減速させるために、前記裏球樋内面に突起等を設けることや、また前記裏球樋の内部において遊技球の衝突による破損を防ぐため、衝突想定部位を補強すること等である。
【発明の効果】
【００１６】
請求項１においては、大当たり用大入賞口を遊技盤面上位1/3の領域に設け、大当たり用大入賞口を狙って遊技球を発射し大当たり用大入賞口近傍を流下させることができる構成としたため、大当たり時には規定入賞数の確保にかかる時間を短くすることができる。これによって大当たり遊技の消化にかかる時間を従来に比べて短時間とすることができ、大当たり遊技中の無駄球を少なくして、実質的な獲得球数（総賞球数−発射球数）を多くすることができると共に、単位時間当たりの平均大当たり回数及び単位時間当たりの平均変動回数も高くすることができる。また、大当たり用大入賞口の下方に図柄表示装置を備えているため、大当たり用大入賞口の閉鎖時に大当たり用大入賞口の前方を流下した遊技球を図柄表示装置の装飾枠（例えば液晶枠飾り等）によって遊技盤面の左右に分散させることができ、遊技領域に広く遊技球を流下させられるため、遊技の興趣を増大させる効果を奏する。
【００１７】
また、小当たり用大入賞口を遊技盤面下位1/3の領域に設け、小当たり用大入賞口の開放タイミングを狙って発射することが困難な構成としたため、小当たり用大入賞口の開放時に遊技球を入賞させるためには運が必要であり、遊技独特の偶然性を適度に高め、遊技経験を問わず楽しむことができる。さらに、小当たり用大入賞口の開放タイミングを狙って発射することが困難な構成としつつも、小当たり用大入賞口の上方に始動口を備えているため、小当たり用大入賞口の開放タイミングを狙うことはできないが、始動口近傍を流下するように遊技球を発射していれば、小当たり用大入賞口の近傍に遊技球が流下するため、小当たり用大入賞口の開放時に入球する可能性を高めることができる。
【００１８】
なお、大当たり用大入賞口を遊技盤面上位1/3の領域に設け、小当たり用大入賞口を遊技盤面下位1/3の領域に設置し、前記大当たり用大入賞口と小当たり用大入賞口の間に前記始動口および前記図柄表示装置を備える構成ならば上記の効果を奏するため、前記始動口および前記図柄表示装置の配置については遊技盤面中央に前記図柄表示装置を設け、その直下近傍に前記始動口を設ける構成に限らない。例えば、前記始動口や前記図柄表示装置のどちらか一方または両方を複数個設けてもよい。また、複数個の前記図柄表示装置の間に前記始動口を設ける構成や、複数の前記図柄表示装置を横に並べ、その下方に複数の前記始動口を横に並べる構成、また複数の前記図柄表示装置を縦に並べ、その間に複数の前記始動口を横に並べる構成等が考えられ、これらの配置により遊技者の遊技に対する興趣を向上させることができる。
【００１９】
請求項２においては、小当たり時に開放された小当たり用大入賞口に遊技球が入球し、入球した遊技球が特定領域に設定数以上進入すること等の所定条件を満たした場合に、小当たりに引き続いて大当たりと同等の遊技を実行すること等の所定の付加価値を発生させる機能を好適に付加することができるため、より遊技性の幅を広げ、遊技の興趣性を向上させることができる。ここでいう設定数は１以上の正数であればよく、設定数を変更することにより付加価値の発生に関する難易度を設定することもできる。また付加価値は上述した大当たりと同等な遊技の発生だけでなく、大当たりの発生確率を高く設定した高確率遊技状態の発生や図柄の変動時間を短縮する変動時間短縮遊技状態の発生などでもよく、通常遊技状態にはない何らかの付加価値を指すものである。
【００２０】
請求項３においては、大当たり用大入賞口を遊技盤面上位1/3の領域に配置しているため、遊技盤裏面側に設けられた入賞球の排出経路となる前記裏球樋での遊技球の通過速度が速くなり遊技球の衝突によって前記裏球樋の破損が想定されることから、前記裏球樋内面に水平方向に等間隔で遊技球の落下の障害となるような半円柱状突起部分等のような減速用突起を用いることによって、遊技球の通過速度を減速させ前記裏球樋破損の防止をすることができる。さらに、前記裏球樋内の遊技球衝突想定部位を低反発性エラストマなどの緩衝部材や金属板などの補強部材等で補強することにより、前記裏球樋が破損することを抑制または防止することができる効果がある。ここでいう減速用突起は、裏球樋の構成部材と一体成形されたものでも、別途裏球樋に設けられたものでもよく、遊技球の落下速度を減速させることが可能であれば特に限定しない。また、形状についても半円柱状でなくてもバネのような構造のものでも何等差し支えない。
【００２１】
なお、前記裏球樋は遊技盤裏面側に設けられているため、遊技盤面上に設けられた前記始動口および前記図柄表示装置の配置によって前記裏球樋の形状が異なる。例えば、遊技盤面中央に前記図柄表示装置を設け、その直下近傍に前記始動口を設ける配置の場合、前記裏球樋の形状は、前記図柄表示装置の位置を避けるためアーチ状の形などとしてもよく、前記図柄表示装置を上下に２つ並べ、その間に前記始動口を設ける配置のとき、前記図柄表示装置の位置を避けるため及び遊技盤中央部の前記始動口から入球した遊技球を排出させるため、前記裏球樋の形状は大小２つのアーチ状の半分の形等としてもよい。これらの前記裏球樋の形状においても、前記裏球樋内側に減速用突起を設け、衝撃吸収材または補強部材等を設けることにより前記裏球樋が破損することを防止することができる。
【発明を実施するための最良の形態】
【００２２】
以下、本発明の各実施形態を図面を参照して説明する。尚、本発明の実施形態は下記の内容に何ら限定されるものではなく、本発明の技術的範囲に属する限り種々の形態を採り得ることはいうまでもない。
【００２３】
（第１実施形態）
図１は本実施形態の遊技機１０の正面図であり、図１に示す通り、遊技機１０は、大きくは遊技盤２２（図２参照）と長方形の外枠と前面枠１２が設けられている。前面枠１２は、左端上下のヒンジにより外枠に対し回動可能に取り付けられている。前面枠１２の下方には玉貯留部を備えた上皿１５が設けられ、賞球或いは貸球のための図示しない排出口と球抜き釦とを備えている。上皿１５と下皿２３とは連結されていて、上皿１５が遊技球で満杯状態になれば下皿２３に遊技球を誘導するよう構成されている。
【００２４】
下皿２３の右側には発射ハンドル２４が取り付けられている。この発射ハンドル２４は、回動リング（タッチプレート）２４ａと発射停止釦（図示せず）を備え、回動リング２４ａに手が触れることを条件に、この回動リング２４ａを時計方向に回動すると、発射ハンドル２４の内部に設けたタッチスイッチ２４ｃ（図３参照）がＯＮされ、遊技球を遊技盤上に発射することができる。これは、タッチ信号がスイッチで導通され、後述する主制御装置５０に入力され、発射制御装置５２で発射駆動信号に変換され、発射装置を駆動させるものである。
【００２５】
図2は遊技機１０から取り外した状態の遊技盤２２を示す正面図である。遊技盤２２の外形はほぼ矩形で、その前面には外レール２７と内レール２６とによって囲まれた略円形の遊技領域２５が形成されている。なお、図示されていない遊技釘が遊技領域２５の各所に植設されている。
【００２６】
遊技領域２５を上下方向に３等分したときの上位部３７に、遊技球が入球可能な大当たり用大入賞口３５が設けられている。このため、大当たり用大入賞口３５を狙って遊技球を発射し大当たり用大入賞口３５近傍を流下させることができ、大当たり時には規定入賞数の確保にかかる時間を短くすることができる。これによって、大当たり遊技の消化にかかる時間を短時間にすることができ、大当たり遊技中の無駄球を少なくして、実質的な獲得球数（総賞球数−発射球数）を多くすることができると共に、単位時間当たりの平均大当たり回数及び単位時間当たりの平均変動回数も高くすることができる。
【００２７】
また、大当たり用大入賞口３５の下方にはセンターケース３４ｂが装着されており、センターケース３４ｂに取り囲まれるようにして図柄表示装置３４のＬＣＤパネル３４ａが組み付けられている。図柄表示装置３４は、表示手段に該当する。センターケース３４ｂには、周知のものと同様にワープ入口、ワープ樋、ステージなどが設けられている。大当たり用大入賞口３５の下方にセンターケース３４ｂが設けられているため、大当たり用大入賞口３５の閉鎖時に大当たり用大入賞口３５の前方を流下した遊技球をセンターケース３４ｂによって遊技盤２２面の左右に分散させることができ、遊技領域２５に広く遊技球を流下させることができるため、遊技の興趣を増大させることができる。
【００２８】
センターケース３４ｂの左右には普通図柄始動ゲート２８，２９が設置されている。センターケース３４ｂの直下近傍にはチューリップ式で、電動役物３０が備えられた特別図柄始動口３１が設けられている。特別図柄始動口３１に入球した遊技球は遊技盤２２の裏面側に取り込まれる。電動役物３０は、普通図柄始動ゲート２８，２９を遊技球が通過することに起因して、所定時間、所定回数だけ開放するように主制御装置５０によって駆動制御される。
【００２９】
遊技領域２５を上下方向に３等分したときの下位部３９に、遊技球が入球可能な小当たり用大入賞口３３が設置されている。このため、小当たり用大入賞口３３の開放タイミングを狙って発射することが困難であって、小当たり用大入賞口３３の開放時に遊技球を入賞させるためには運が必要であるため、遊技独特の偶然性を適度に高め、遊技経験を問わず楽しむことができる。また、小当たり用大入賞口３３は、特別図柄始動口３１の直下近傍に位置しているため、特別図柄始動口３１近傍を流下するように遊技球を発射していれば、小当たり用大入賞口３３の近傍に遊技球が流下するため、小当たり用大入賞口３３の開放時に入球する可能性を高めることができる。
【００３０】
小当たり用大入賞口３３の左右の内レール２６沿いには一般入賞口３６が配されており、小当たり用大入賞口３３及び一般入賞口３６に入球した遊技球は遊技盤２２の裏面側に取り込まれる。また、遊技盤面最下部にはアウト穴３２が設けられている。
【００３１】
本実施例の遊技機１０の制御系は図３の通りに構成されている。この遊技機１０は、主制御装置５０、賞球制御装置５１、発射制御装置５２、図柄表示装置３４、電飾制御装置５３及び音制御装置５４を備えている。詳細な図示は省略するが、これらの制御装置はいずれもＣＰＵ、ＲＯＭ、ＲＡＭ、入力ポート、出力ポート等を備えている。また、主制御装置５０には各種の判定や選択に使用する乱数カウンタ（複数）が備えられ、音制御装置５４には音源ＩＣが備わっている。
【００３２】
主制御装置５０は、判定手段、条件判別手段及び遊技制御手段として機能する。この主制御装置５０には、特別図柄始動口３１（図２参照）への入賞球を検出する特別図柄始動口スイッチ３１a、遊技球が普通図柄始動ゲート２８、２９を通過したことを検出する普通図柄始動スイッチ２８a、２９a、大当たり用大入賞口３５への入賞球を検出する大当たり用大入賞口カウントスイッチ３５ｂ、小当たり用大入賞口３３への入賞球を検出する小当たり用大入賞口カウントスイッチ３３b、大当たり用大入賞口３５及び小当たり用大入賞口３３の内部に設けられている特定領域を遊技球が通過したことを検出するVスイッチ３５ｃ、３３ｃ、一般入賞口への入球を検出する一般入賞口スイッチ３６a、下球皿が満杯状態になったことを検出する満タンスイッチ６６、球タンクが空状態になったことを検出する玉切れスイッチ６７、発射ハンドル２４に遊技者が接触していることを検出するタッチスイッチ２４ｃ、賞球の払い出しを検出する賞球払い出しスイッチ６９等の検出信号が入力される。
【００３３】
主制御装置５０は搭載しているプログラムに従って動作し、上述の検出信号などに基づいて遊技の進行に関わる各種のコマンドを生成して賞球制御装置５１、発射制御装置５２、図柄表示装置３４、電飾制御装置５３、音制御装置５４に出力することでこれらに各種の指令を与えたり、大当たり用大入賞口の開閉板を駆動する大当たり用大入賞口ソレノイド３５a、小当たり用大入賞口の開閉板を駆動する小当たり用大入賞口ソレノイド３３a、普通電動役物を開閉する普通役物ソレノイド３０aの動作を制御し、また盤用外部接続端子６５を介して外部（ホールコンピュータ）に入賞や大当たり等の情報を出力する。
【００３４】
賞球制御装置５１は、主制御装置５０から送られてくるコマンドに応じて玉切りモータ５１aを稼働させて賞球を払い出し、またプリペイドカードユニット１３（いわゆるＣＲユニット）とデータを送受し、ＣＲ精算表示装置５７から入力される貸出要求に応じて球切モータ５１aを稼働させて貸球を払い出させ、ＣＲ精算表示装置５７の残高表示を制御する。
【００３５】
発射制御装置５２は、主制御装置５０から送られてくるコマンド（タッチスイッチ２４ｃの信号や遊技状況を反映している）、発射ハンドル２４の回動信号及び発射停止スイッチ２４ｂの信号に基づいて発射モータ５２aを制御して遊技球を発射及び停止させ、タッチランプ５２ｂの点灯を制御する。
【００３６】
図柄表示装置３４は、LCDパネルユニット３４aとLCDパネルユニット３４aを駆動制御する図柄制御基板４１から構成されている。図柄制御基板４１は、３２ビットワンチップマイコンを中心とした論理演算回路として構成されている。
【００３７】
電飾制御装置５３は、主制御装置５０から送られてくるコマンドに応じて各種ＬＥＤ６２や各種ランプ６３の点灯、消灯等を制御する。音制御装置５４は、主制御装置５０から送られてくるコマンドに応じて音声信号を生成し、その音声信号にてスピーカ６４を駆動して音声を出力する。
【００３８】
次に、主制御装置５０内の８ビットワンチップマイコンが実現する処理を、図４、図５、図６に示すフローチャートに従って説明することにする。
【００３９】
図４は、主制御装置５０が約０．２ミリ秒周期で繰り返すメインルーチンのサブルーチンとして行う、選択ルーチンのフローチャートである。主制御装置５０は、この処理では、まず特別図柄始動口スイッチ３１aからの入賞検出信号が入力されたか否かを判断する（Ｓ１００）。ここで否定判断（S１００：NO）なら実質的な処理を行うことなく、本処理からリターンする。
【００４０】
肯定判断（S１００：YES）なら、乱数抽出処理として各種の乱数カウンタの値を読み込む（Ｓ１０１）。次に、主制御装置５０は、ステップＳ１０１で読み込んでおいた当否判定乱数が、予め設定されている大当たり値のいずれかと一致するか否かに基づいて大当たりか否かを判定する（Ｓ１０２）。なお、本実施例の遊技機においても、公知の遊技機と同様に特別図柄の変動表示中や特別遊技中には保留記憶を行うが説明を省略する。
【００４１】
判定が大当たりであれば（Ｓ１０２：ＹＥＳ）、ステップＳ１０１で読み込んでおいた大当たり図柄用乱数に従って大当たり用図柄（例えば７７７のような３桁揃い図柄）を選択し（Ｓ１０３）、ステップＳ１０１で読み込んでおいた変動パターン用乱数に従って大当たり用の変動パターンを選択する（Ｓ１０４）。
【００４２】
大当たり用図柄及び大当たり用の変動パターンは、図示を省略するコマンド送信ルーチンにおいて図柄コマンドの一部として図柄表示装置３４に送られる。図柄表示装置３４は、図柄コマンドを受けるとＬＣＤパネル３４ａに特別図柄を変動表示させ、周知のリーチ表示等の後に大当たり用図柄を確定表示させる。遊技者は、大当たり用図柄の確定表示によって大当たりの発生を知る。
【００４３】
大当たり判定が外れであれば（Ｓ１０２：ＮＯ）、当否判定乱数が予め設定されている小当たり値のいずれかと一致するか否かに基づいて小当たりか否かを判定する（Ｓ１０５）。この判定が小当たりであれば（Ｓ１０５：ＹＥＳ）、ステップＳ１０１で読み込んでおいた小当たり図柄用乱数に従って小当たり用図柄（例えば７７？のように左図柄と中図柄が揃って右図柄が違っている組合せ）を選択し（Ｓ１０６）、ステップＳ１０１で読み込んでおいた変動パターン用乱数に従って小当たり用の変動パターンを選択する（Ｓ１０７）。
【００４４】
小当たり用図柄及び小当たり用の変動パターンは、大当たり用図柄及び大当たり用の変動パターンと同様に図柄コマンドの一部として図柄表示装置３４に送られる。図柄表示装置３４は、図柄コマンドを受けるとＬＣＤパネル３４ａに特別図柄を変動表示させてから小当たり用図柄を確定表示させる。遊技者は、これによって小当たりの発生を知る。
【００４５】
小当たりでもなければ（Ｓ１０５：ＮＯ）、ステップＳ１０１で読み込んでおいた外れ図柄用乱数に従って外れ用図柄（大当たり用図柄及び小当たり用図柄以外）を選択し（Ｓ１０８）、ステップＳ１０１で読み込んでおいた変動パターン用乱数に従って外れ用の変動パターンを選択する（Ｓ１０９）。
【００４６】
外れ用図柄及び外れ用の変動パターンは、大当たり用図柄及び大当たり用の変動パターンと同様に図柄コマンドの一部として図柄表示装置３４に送られる。図柄表示装置３４は、図柄コマンドを受けるとＬＣＤパネル３４ａに特別図柄を変動表示させてから外れ用図柄を確定表示させる。遊技者は、これによって外れ（大当たりでも小当たりでもないこと）を知る。
【００４７】
以上の図４の処理により、始動口への遊技球の入賞によって生じる特別遊技が大当たりであるか小当たりであるか、または外れであるかを決定し、その結果を図柄で表示することによって遊技者に知らせる。
【００４８】
図５は、主制御装置５０が約０．２ミリ秒周期で繰り返すメインルーチンのサブルーチンとして行う、当たりルーチンのフローチャートである。主制御装置５０は、まず変動パターンに規定された時間が経過したときに送信される確定信号を送信したか否かを判断する（Ｓ２０１）。この判断（Ｓ２０１）は、変動パターンの送信からその変動パターンに規定された時間が経過したか否かを判断するのとほぼ同様の意味である。ここで否定判断（S２０１：NO）なら実質的な処理を行うことなく、本ルーチンからリターンする。
【００４９】
一方、図柄確定信号を送信済みで、特別図柄が確定表示されていれば（Ｓ２０１：ＹＥＳ）、主制御装置５０内のRAMに一時記憶されている選択された確定図柄が大当たり図柄か否かを判断する（S２０２）。判断する図柄は、図柄表示装置３４上に表示されている図柄ではなく、選択ルーチンで選択された図柄で判断する。確定図柄が大当たり図柄であれば（S２０２：YES）、大当たりフラグを１にセットし（S２０３）、大当たり用大入賞口３５を開放動作させるための大当たり処理を実行する（Ｓ２０４）。この大当たり処理により大当たり遊技が行われる。
【００５０】
本実施例で図５のステップＳ２０４での処理である大当たり処理によって実行される大当たり遊技自体は、第一種と呼ばれる形式の公知の遊技機と同様で、大当たり用大入賞口３５が最大１５回（１５ラウンド）開放される。１ラウンドの大当たり用大入賞口３５の開放時間は約２５秒で、大当たり用大入賞口３５への入賞球が規定数（本実施例では１０球）に達すれば２５秒に達していなくても閉鎖される。大当たり用大入賞口３５が閉鎖されて１ラウンドが終了して、そのラウンド中の大当たり用大入賞口３５への入賞球のいずれかが大当たり用大入賞口３５内の特定領域を通過していれば、大当たり用大入賞口３５が再び開放される（次のラウンドが開始される）。
【００５１】
ただし、大当たり用大入賞口３５の開放回数が規定数（本実施例では１５ラウンド）まで達した場合は、特定領域を通過していても大当たり用大入賞口３５は再開放されない（大当たり遊技が終了する）。また、大当たり用大入賞口３５への入賞球のいずれも特定領域を通過していないときも、大当たり用大入賞口３５は再開放されない（大当たり遊技が終了する）。
【００５２】
選択された確定図柄が大当たり図柄でなければ（Ｓ２０２：ＮＯ）、確定図柄が小当たり図柄か否かを判断する（Ｓ２０５）。確定図柄が小当たり図柄ではないときには（Ｓ２０５：ＮＯ）本ルーチンからリターンし、確定図柄が小当たり図柄のときには（Ｓ２０５：ＹＥＳ）、小当たりフラグを１にセットし（S２０６）、小当たり用大入賞口３３を開放動作させるための小当たり処理を実行する（Ｓ２０７）。小当たり処理として、小当たり用大入賞口３３を約１．８秒間１ラウンドだけ開放させる。
【００５３】
以上の図５の処理によって、図４で確定した図柄に基き大当たり処理、小当たり処理または特別遊技を実行しない処理をする。
【００５４】
次に、図５のステップS２０７での処理である小当たり処理について図６を示し、詳細に説明する。はじめに、開放フラグが１にセットされているか否かを判断し（S３０１）、否定判断なら（Ｓ３０１：ＮO）、小当たり用大入賞口３３を開放させ（Ｓ３０９）、開放フラグを１にセットし（Ｓ３１０）、本処理からリターンする。
【００５５】
開放フラグが１にセットされていれば（Ｓ３０１：ＹES）、小当たり用大入賞口３３が開放してから規定された時間が経過したか否かを判断する（Ｓ３０２）。ここで、否定判断なら（Ｓ３０２：ＮO）、ステップS３０５に進む。肯定判断なら（Ｓ３０２：YES）、小当たり用大入賞口３３を閉鎖し（Ｓ３０３）、開放フラグを０にセットする（Ｓ３０４）。
【００５６】
次に、小当たり用大入賞口３３内に設けられた特定領域を遊技球が設定数以上通過したことをＶスイッチ３３ｃが検出したか否かを判断する（S３０５）。否定判断なら（S３０５：NO）、本処理からリターンする。肯定判断なら（S３０５：YES）、小当たり用大入賞口を閉鎖し（S３０６）、開放フラグを０にセットし（S３０７）、大当たり処理を行う（Ｓ３０８）。大当たり処理は、大当たり用大入賞口３５を開放する処理であり、大当たり用大入賞口３５の開放時間が約２５秒間又は大当たり用大入賞口３５へ遊技球が１０個入球する開放動作を１５回行う。ここで、ステップS３０５における設定数は１以上の正数であればよく、設定数を変更することにより付加価値（S３０８の大当たり処理）の発生に関する難易度を設定することができる。
【００５７】
なお、小当たり用大入賞口３３内の特定領域を通過することにより実行される大当たり処理（Ｓ３０８）と、乱数抽選の結果として実行される大当たり処理（Ｓ２０４）とに賞球数の差を設けるようにしてもよい。例えば、ラウンド数、大当たり用大入賞口３５の最大開放時間、大当たり用大入賞口３５への規定入賞数とに変化をもたせるようにしてもよい。
【００５８】
この処理は請求項２において、所定の付加価値が小当たりを大当たりに昇格させる場合に該当し、図柄表示装置３４で大当たり用図柄が確定表示されなくても上記処理による小当たり遊技で大当たりとなるチャンスがあるため、大当たりとならない表示態様への興味を抱かせることができる。また、所定の付加価値は小当たりを大当たりに昇格させることに限定されるものではなく、大当たりの発生確率を高く設定した高確率遊技状態の発生や図柄の変動時間を短縮する変動時間短縮遊技状態の発生などでもよく、通常遊技状態にはない何らかの付加価値を遊技者に付与するものであればよい。
【００５９】
次に、遊技盤２２の裏面側の構成について図７を用いて説明する。遊技盤２２の裏面側には遊技球の排出経路となる裏球樋８０が設置されており、大当たり用大入賞口３５及び一般入賞口３６から入球した遊技球は、裏球樋８０の内側を通って遊技機１０外に排出される。また、特別図柄始動口３１、小当たり用大入賞口３３に入球した遊技球は下方に流れ、遊技機１０外に排出される。遊技盤２２裏面側の中央部の位置は、遊技盤２２上の図柄表示装置３４の位置と重なるため、図柄表示装置３４が組み込められるように穴８１を設けている。
【００６０】
図８は、遊技盤裏面に接して設置されている裏球樋８０である。大当たり用大入賞口３５が遊技盤上位1/3の領域３７に設けられているため、大当たり用大入賞口３５から入球した遊技球は、裏球樋８０上部の入口８０aから裏球樋８０内に入り、裏球樋内側を通って、出口８０ｂ、８０ｃから遊技機１０外に排出される。また、一般入賞口３６から入球した遊技球は、裏球樋８０下部に設けられた入口８０dから裏球樋８０内に入り、出口８０ｂ、８０ｃから遊技機１０外に排出される。裏球樋８０中央の空間部分８１には図柄表示装置３４が位置し、裏球樋８０を遊技盤２２の裏面側に設置するためには図柄表示装置３４を回避しなければならず、そのため裏球樋８０の上部はアーチ形状で、かつ遊技盤２２の左下部及び右下部に設けた一般入賞口３６から入球した遊技球も排出させるため裏球樋８０の下部はL字型の構成になっている。
【００６１】
図９、図１０、図１１を用いて裏球樋８０についてより詳細に説明する。裏球樋８０は、上部にアーチ状の入り口部８３、その両端から下方にまっすぐ伸びた通路部８４、８５、さらに通路部８４、８５の夫々下部に取り付けられるL字型の排出部８６、８７とからなる。
【００６２】
入り口部８３は、大当たり用大入賞口３５から入球した遊技球を上部にある入口８０aから裏球樋８０内に導き、左右２方向に遊技球の流れを分け、通路部８４、８５と接続されている出口８３ｂ、８３ｃから通路部８４、８５へ流下させる。入り口部８３を通過した遊技球は、通路部の入口８４ｂ、８５ｂから通路部内側を通って落下し、出口８４ｃ、８５ｃから排出部８６、８７へ流下する。このとき落下する遊技球を減速させるため、通路部８４，８５の内側面に、水平方向に等間隔で遊技球の落下の障害となるような半円柱状の減速用突起８４a、８５aを設置する。減速用突起８４a、８５aを設けることによって、遊技球は減速用突起８４a、８５aに衝突を繰り返しながら落下するため、遊技球の落下速度を減速させることができる。ここで、減速用突起８４a、８５aは、裏球樋８０の構成部材と一体成形されたものでも、別途裏球樋８０に設けられたものでもよく、遊技球の落下速度を減速させることが可能であれば特に限定しない。また、形状についても半円柱状でなくてもバネのような構造のものでも何等差し支えない。
【００６３】
通路部の出口８４ｃ、８５ｃと排出部の入口８６a、８７aは接続されており、通路部８４、８５から流下してきた遊技球は、排出部の入口８６a、８７aから排出部８６、８７内に入り、出口８０ｂ、８０ｃから遊技機１０外に排出される。また、排出部８６、８７には、一般入賞口３６が位置する場所（本実施例では遊技盤２２の左下部及び右下部に夫々２つ）である排出部８６の右上部とその左斜め下及び排出部８７の左上部とその右斜め下に、一般入賞口３６から入球した遊技球の入口８０ｄが設けられており、入口８０ｄから裏球樋８０内に入った遊技球は、流下して出口８０ｂ、８０ｃから遊技機１０外に排出される。
【００６４】
以上の図８、図９、図１０、図１１のような構成の裏球樋８０を遊技球の排出経路とすることによって、遊技盤上位1/3の領域３７にある大当たり用大入賞口３５及び一般入賞口３６から遊技球が入球しても、遊技球の落下速度を減速させ、裏球樋８０の破損を抑制または防止をすることができる。
【００６５】
図１２は、遊技盤裏面に接して設置される裏球樋９０で、裏球樋８０の変更形態である。大当たり用大入賞口３５に入球した遊技球は裏球樋９０上部の入口９０aから裏球樋９０内に入り、裏球樋内側を通って出口９０ｂ、９０ｃから遊技機１０外に排出される。また、一般入賞口３６から入球した遊技球は裏球樋９０下部の入口９０dから裏球樋９０内に入り、出口９０ｂ、９０ｃから遊技機１０外に排出される。裏球樋９０中央の空間部分９１には遊技盤２２上の図柄表示装置３４が位置し、また遊技盤２２左下部及び右下部の一般入賞口３６からの遊技球を排出させるため、裏球樋９０は裏球樋８０と同様にアーチ形状でかつ下部はL字型になっている。
【００６６】
図１３、図１４、図１５を用いて裏球樋９０をより詳細に説明する。裏球樋９０は、上部に逆U字型の入り口部９２、その両端の下部に接続したL字型の受け止め部９３、９４、さらに下部にL字型の排出部９５、９６とからなる。
【００６７】
入り口部９２は、大当たり用大入賞口３５から入球した遊技球を上部にある入口９０aから裏球樋９０内に導き、遊技球の流れを左右に分け、遊技球を落下させて出口９２ｂ、９２ｃから受け止め部９３，９４に流下させる。入り口部の出口９２ｂ、９２ｃと受け止め部の入口９３a、９４aは接続されており、入り口部９２から落下してきた遊技球は受け止め部９３，９４で受け止められる。ここで受け止め部９３，９４には、落下してきた遊技球が衝突する受け止め部の入り口から内側面にかけて、遊技球の衝撃を緩和させるための低反発性エラストマなどの緩衝部材又は金属板などの補強部材９３ｃ、９３ｄを設けている。これによって、入り口部９２で加速した遊技球が受け止め部の入口９３a、９４ａから受け止め部９３、９４に入り、受け止め部側面に衝突しても、裏球樋９０の破損を抑制または防止して出口９３ｂ、９４ｂから排出部９５、９６に流下させることができる。受け止め部の出口９３ｂ、９４ｂと排出部の入口９５a、９６aは接続され、排出部の入口９５a、９６aから流下した遊技球は、排出部出口９０ｂ、９０ｃから遊技機１０外に排出される。また、一般入賞口３６へ入賞した遊技球は、排出部９５の右上部とその左斜め下及び排出部９６の左上部とその右斜め下に設けられている入口９０ｄから裏球樋９０内に入り、流下して出口９０ｂ、９０ｃから遊技機１０外に排出される。
【００６８】
以上の図１２、図１３、図１４、図１５のような構成の裏球樋９０を排出経路とすることによって、遊技盤上位1/3の領域３７にある大当たり用大入賞口３５及び一般入賞口３６から遊技球が入球しても、遊技球の衝撃を緩和させ、裏球樋９０の破損を抑制または防止をすることができる。
【００６９】
以上により、本実施形態によれば、大当たり用大入賞口３５を遊技盤面上位1/3の領域３７に設け、大当たり用大入賞口３５を狙って遊技球を発射し大当たり用大入賞口３５近傍を流下させることができる構成としたため、大当たり時には規定入賞数の確保にかかる時間を短くすることができる。これによって大当たり遊技の消化にかかる時間を従来に比べて短時間とすることができ、大当たり遊技中の無駄球を少なくして、実質的な獲得球数（総賞球数−発射球数）を多くすることができると共に、単位時間当たりの平均大当たり回数及び単位時間当たりの平均変動回数も高くすることができる。
【００７０】
また、小当たり用大入賞口３３を遊技盤面下位1/3の領域３９に設け、小当たり用大入賞口３３の開放タイミングを狙って発射することが困難な構成としたため、小当たり用大入賞口３３の開放時に遊技球を入賞させるためには運が必要であり、遊技独特の偶然性を適度に高め、遊技経験を問わず楽しむことができる。
【００７１】
また、小当たり用大入賞口３３の開放タイミングを狙って発射することが困難な構成としつつも、小当たり用大入賞口３３の上方に特別図柄始動口３１を備えているため、小当たり用大入賞口３３の開放タイミングを狙うことはできないが、特別図柄始動口３１近傍を流下するように遊技球を発射していれば、小当たり用大入賞口３３の近傍に遊技球が流下するため、小当たり用大入賞口３３の開放時に入球する可能性を高めることができる。
【００７２】
また、大当たり用大入賞口３５の下方に図柄表示装置３４を備えた構成としているため、大当たり用大入賞口３５の閉鎖時に大当たり用大入賞口３５の前方を流下した遊技球をセンターケース３４ｂによって遊技盤２２面の左右に分散させることができ、遊技領域２５に広く遊技球を流下させることができるため、遊技の興趣を増大させる効果がある。
【００７３】
また、ステップS３０１〜S３０８に示す処理により、小当たり時に開放された小当たり用大入賞口３３に遊技球が入球し、入球した遊技球が特定領域に設定数以上進入する（S３０５）等の条件を満たした場合に、小当たりに引き続いて大当たりと同等の遊技を実行するなどの付加価値を発生させる機能を好適に付加することができるため、より遊技性の幅を広げ、遊技の興趣性を向上させることができる。
【００７４】
また、大当たり用大入賞口３５を遊技盤面上位1/3の領域３７に配置し、その下方に図柄表示装置３４を設け、一般入賞口３６を遊技盤２２左下部及び右下部に配置しているため、入賞球の排出経路となる上部がアーチ状で下部がＬ字型の裏球樋８０、９０を遊技盤裏面側に設置して入る。そして裏球樋８０、９０内面に等間隔で水平方向に遊技球の落下の障害となるような突起部分である減速用突起８４a、８５aを用いることによって、遊技球の通過速度を減速させ裏球樋８０が破損することを抑制または防止することができる。さらに、裏球樋内の遊技球衝突想定部位を低反発性エラストマなどの緩衝部材や金属板などの補強部材等の衝撃吸収材９３ｃ、９３ｄで補強することにより、裏球樋９０の破損を抑制または防止することができる。
【００７５】
（第２実施形態）
図１６は遊技盤１２２の正面図、図１７は本実施形態に係る遊技機１１０の制御系を表すブロック図、図１８は遊技盤１２２の裏面側であり、第１実施形態の構成要素に対応する本実施形態の構成要素の説明は、図中の符号を１００番台として説明を援用する。
【００７６】
上記第１実施形態では、大当たり用大入賞口３５と小当たり用大入賞口３３の間に、図柄表示装置３４とその下方に特別図柄始動口３１を設けていたが、本実施形態では大当たり用大入賞口１３５と小当たり用大入賞口１３３の間に、図柄表示装置１３４とその下方に特別図柄始動口１３１を設け、さらに特別図柄始動口１３１の直下近傍に図柄表示装置１６８を設け、遊技盤面１２２上に図柄表示装置が２つある構成となっている。
【００７７】
図１６を用いて遊技盤１２２の構成をより詳細に説明すると、第１実施形態と同様にして遊技盤面上位1/3の領域１３７に大当たり用大入賞口１３５を設け、遊技盤面下位1/3の領域１３９には小当たり用大入賞口１３３が配置されている。大当たり用大入賞口１３５の直下近傍に図柄表示装置１３４を設置し、図柄表示装置１３４の左右には普通図柄始動ゲート１２８，１２９が設置されている。図柄表示装置１３４の直下近傍には特別図柄始動口１３１が設けられ、さらに特別図柄始動口１３１の直下近傍に図柄表示装置１６８が設けられている。図柄表示装置１６８は小当たり用大入賞口１３３の上方に位置する。本実施形態においても、大当たり用大入賞口１３５が遊技盤面上位1/3の領域１３７に、小当たり用大入賞口１３３が遊技盤面下位1/3の領域１３９に設けられているため、第１実施形態と同様の効果を発揮できる。さらに、図柄表示装置が２つ備えられているため、より遊技者の興趣を向上させることができる。
【００７８】
本実施例の遊技機の制御系は図１７の通りに構成され、第１実施形態と同様に遊技機１１０は、主制御装置１５０、賞球制御装置１５１、発射制御装置１５２、図柄表示装置１３４、電飾制御装置１５３及び音制御装置１５４を備えており、また他の第１実施形態の構成要素に対応する本実施形態の構成要素の説明は、図中の符号を１００番台として説明を援用する。第１実施形態と対比すると、２つの図柄表示装置１３４、１６８が設けられ、夫々LCDパネルユニット１３４a、１６８aと、LCDパネルユニット１３４a、１６８aを駆動制御する図柄制御基板１４１、１４２から構成されている。図柄制御基板１４１、１４２は、３２ビットワンチップマイコンを中心とした論理演算回路として構成されている。
【００７９】
次に、遊技盤１２２の裏面側の構成について図１８を用いて説明する。遊技盤１２２の裏面側には裏球樋１４０a及び１４０ｂが設けられており、大当たり用大入賞口１３５及び一般入賞口１３６ｃから入球した遊技球は、裏球樋１４０aの内側を通って遊技機１１０外に排出される。特別図柄始動口１３１及び一般入賞口１３６ｄから入球したから入球した遊技球は、裏球樋１４０ｂを通って遊技機１１０外に排出される。裏球樋１４０aの遊技球入り口部の直下近傍の位置は、遊技盤面１２２上の図柄表示装置１３４の位置と重なるため、図柄表示装置１３４が組み込められるように穴１４３を設けており、裏球樋１４０ｂの遊技球入り口部の直下近傍の位置は、遊技盤面１２２上の図柄表示装置１６８の位置と重なるため、図柄表示装置１６８が組み込められように穴１４４を設けている。
【００８０】
図１９は、遊技盤裏面に接して設置されている裏球樋１４０である。大当たり用大入賞口１３５が遊技盤上位1/3の領域１３７にあるため、大当たり用大入賞口１３５から入球した遊技球は、裏球樋１４０上部の入口１４０ｃから裏球樋１４０a内に入り、裏球樋１４０aの内側を通って、出口１４０ｄから遊技機１１０外に排出される。遊技球が一般入賞口１３６ｃから入球した場合、裏球樋１４０a下部のＬ字型部分に２箇所設けられた入口１４０ｇから裏球樋１４０a内に入り、出口１４０ｄから遊技機１１０外に排出される。一方、特別図柄始動口１３１が遊技盤面のほぼ中心部にあるため、特別図柄始動口１３1から入球した遊技球は、裏球樋１４０ｂの上位部に設けられた入口１４０eから裏球樋１４０ｂ内に入り、裏球樋１４０ｂの内側を通って、出口１４０ｆから遊技機１１０外に排出される。また、一般入賞口１３６ｄから遊技球が入球した場合、裏球樋１４０ｂ下部のＬ字型部分に２箇所設けられた入口１４０ｈから裏球樋１４０ｂ内に入り、出口１４０ｆから遊技機１１０外に排出される。裏球樋１４０aの遊技球入り口部分と裏球樋１４０ｂの遊技球入り口部分の間１４６及び、裏球樋１４０ｂの遊技球入り口部分の直下近傍１４７には遊技盤面１２２上の図柄表示装置１３４、１６８が位置し、図柄表示装置１３４、１６８を回避するため裏球樋１４０は、第１実施形態の裏球樋８０、９０のようなアーチ形状の半分の形で、大小２つの裏球樋１４０a、１４０bからなる構成をしている。
【００８１】
図２０、図２１、図２２を用いて裏球樋１４０についてより詳細に説明する。裏球樋１４０は、大当たり用大入賞口１３５及び一般入賞口１３６ｃからの遊技球の排出経路である裏球樋１４０aと、特別図柄始動口１３1及び一般入賞口１３６ｄからの遊技球の排出経路である裏球樋１４０ｂからなる。
【００８２】
裏球樋１４０aは、上面が開いた箱型入り口部１４８が上部にあり、その左端から下方に伸びた通路部１４９、さらに下部にL字型の排出部１５１からなる。箱型入り口部１４８は、大当たり用大入賞口１３５から入球した遊技球を入口１４０ｃから裏球樋１４０a内に導き、通路部１４９と接続されている箱型入り口部１４８左端の出口１４８ｂから通路部１４９へ流下させる。入り口部１４８から流下した遊技球は、通路部入口１４９aから出口１４９ｂまで落下する。このとき、通路部１４９の内側面に水平方向に等間隔で遊技球の落下の障害となるような半円柱状の減速用突起１４９ｃを設置する。減速用突起１４９ｃを設けることによって、遊技球は減速用突起１４９ｃに衝突を繰り返しながら落下するため、遊技球の流下速度を減速させることができる。ここで減速用突起１４９ｃは、裏球樋１４０aの構成部材と一体成形されたものでも、別途裏球樋１４０aに設けられたものでもよく、遊技球の落下速度を減速させることが可能であれば特に限定しない。また、形状についても半円柱状でなくてもバネのような構造のものでも何等差し支えないものとする。通路部の出口１４９ｂと排出部の入口１５１aは接続されており、通路部１４９から流下してきた遊技球は、排出部の入口１５１aから入り、出口１４０ｄから遊技機１１０外へ排出される。また、一般入賞口１３６ｃの位置する場所（本実施例では２個所）である排出部１５１の左上部とその右斜め下には、一般入賞口１３６ｃから入球した遊技球の入口１４０ｇが設けられ、入口１４０ｇから裏球樋１４０a内に入った遊技球は流下して出口１４０ｄから遊技機１１０外へ排出される。
【００８３】
一方、裏球樋１４０ｂは、上面が開いた箱型の入り口部１５０とその右端下部に接続されるL字型の排出部１５２からなる。特別図柄始動口１３1から入球した遊技球は、裏球樋１４０ａ上位部に設けられた入口１４０eから裏球樋１４０ｂ内に入り、箱型入り口部右端の出口１５０ｂから排出部１５２に流下する。箱型入り口部の出口１５０ｂと排出部の入口１５２aは接続されており、箱型入り口部１５０から流下してきた遊技球は、排出部の入口１５２aから入り、出口１４０ｆから遊技機１１０外に排出される。また、一般入賞口１３６ｄから入球した遊技球は、排出部１５２の右上部とその左斜め下に設けられた入口１４０ｈから裏球樋１４０ｂ内に入り、流下して出口１４０ｆから遊技機１１０外に排出される。
【００８４】
以上の図１９、図２０、図２１、図２２のような構成の裏球樋１４０a、１４０ｂを遊技球の排出経路とすることにより、遊技盤面上位1/3の領域１３７に設置されている大当たり用大入賞口１３５、遊技盤面中央部に設置されている特別図柄始動口１３1及び一般入賞口１３６ｃ、１３６ｄから遊技球が裏球樋１４０a、１４０ｂに入球しても、遊技球の流下速度を減速させ、遊技球の衝突による破損を抑制または防止することができる。
【００８５】
図２３は、遊技盤裏面に接して設置されている裏球樋１６０であり、裏球樋１６０は裏球樋１４０の変更形態である。裏球樋１６０は、裏球樋１４０と同様にアーチ形状の半分の形で、大小２つの裏球樋１６０a、１６０bから構成されている。
【００８６】
裏球樋１６０について、図２４、図２５、図２６を用いてより詳細に説明する。裏球樋１６０は、大当たり用大入賞口１３５及び一般入賞口１３６ｃから入球した遊技球の排出経路である裏球樋１６０aと、特別図柄始動口１３1及び一般入賞口１３６ｄから入球した遊技球の排出経路である裏球樋１６０ｂからなる。
【００８７】
裏球樋１６０aは、上面が開いた箱型部分とその左端から下方に伸びた通路部分を組み合わせた入り口部１６１、その下端にL字型の受け止め部１６２、さらにその下部にL字型の排出部１６４からなる。
【００８８】
入り口部１６１は、大当たり用大入賞口１３５から入球した遊技球を入口１６０ｃから裏球樋１６０a内に導き、遊技球を落下させ出口１６１ｂから受け止め部１６２に流下させる。入り口部の出口１６１ｂと受け止め部の入口１６２aは接続されており、入り口部１６１から落下してきた遊技球は受け止め部１６２で受け止められる。ここで受け止め部１６２には、受け止め部の内側面の遊技球の衝突が想定される場所に、低反発性エラストマなどの緩衝部材又は金属板などの補強部材１６２ｄ、１６２ｃを設けている。これによって、入り口部１６１で加速した遊技球が受け止め部１６２の入口１６２aから受け止め部１６２に入り、受け止め部１６２内面に衝突しても、裏球樋１６０aの破損を抑制または防いで出口１６２ｂから排出部１６４に流下させることができる。受け止め部の出口１６２ｂと排出部１６４の入口１６４aは接続されており、入口１６４aから流下した遊技球は、排出部出口１６０ｄから遊技機１１０外へ排出される。また、排出部１６４の左上部及びその右斜め下には、一般入賞口１３６ｃから入球した遊技球の入口１６０ｇが設けられ、入口１６０ｇから裏球樋１６０a内に入った遊技球は流下して出口１６０ｄから遊技機１１０外へ排出される。
【００８９】
一方、裏球樋１６０ｂは、裏球樋１４０ｂと同様に、上面が開いた箱型の入り口部１６３とその右端に接続されるL字型の排出部１６５からなる。特別図柄始動口１３1から入球した遊技球は、箱型入り口部の入口１６０eから裏球樋１６０ｂ内に入り、箱型入り口部右端の出口１６３ｂから排出部１６５に流下する。箱型入り口部の出口１６３ｂと排出部の入口１６５aは接続されており、箱型入り口部１６３から流下してきた遊技球は、排出部の入口１６５aから入り、出口１６０ｆから遊技機１１０外に排出される。また、一般入賞口１３６ｄから入球した遊技球は、排出部１６５の右上部及びその左斜め下に設けられた入口１６０ｈから裏球樋１６０ｂ内に入り、流下して出口１６０ｆから遊技機１１０外に排出される。
【００９０】
以上の図２３、図２４、図２５、図２６のような構成の裏球樋１６０a、１６０ｂを遊技球の排出経路とすることによって、遊技盤面上位1/3の領域１３７に設置されている大当たり用入賞口１３５、遊技盤面中央部に設置されている特別図柄始動口１３1及び一般入賞口１３６ｃ、１３６ｄから遊技球が入球しても、遊技球の衝突による裏球樋１６０の破損を抑制または防止することができる。
【００９１】
以上、本実施形態において、大当たり用大入賞口１３５が遊技盤面上位1/3の領域１３７に、小当たり用大入賞口１３３が遊技盤面下位1/3の領域１３９に設けられており、また大当たり用大入賞口１３５、特別図柄始動口１３１及び一般入賞口１３６ｃ、１３６ｄから入球した遊技球が裏球樋１４０、１６０を経由して排出される構成になっているため、第１実施形態と同様の効果を発揮することができる。
【００９２】
（第３実施形態）
図２７は遊技盤２２２の正面図、図２８は本実施形態に係る遊技機２１０の制御系を表すブロック図、図２９は遊技盤２２２の裏面側であり、第２実施形態の構成要素に対応する本実施形態の構成要素の説明は、図中の符号を２００番台として説明を援用する。
【００９３】
上記第２実施形態では、図柄表示装置１３４と図柄表示装置１６８の２つの図柄表示装置が，特別図柄始動口１３１を挟んで上下に設置されていたが、本実施形態では図柄表示装置２５５と図柄表示装置２５６が左右に隣接して設置され、その直下近傍に特別図柄始動口２２１、２３１が左右並べて設けられている。
【００９４】
図２７を用いて遊技盤２２２の構成をより詳細に説明すると、第２実施形態と同様にして遊技盤面上位1/3の領域２３７に大当たり用大入賞口２３５を設け、遊技盤面下位1/3の領域２３９に小当たり用大入賞口２３３を設けている。大当たり用大入賞口２３５の直下近傍にはセンターケース２５５ｂを設置し、センターケース２５５ｂにLCDパネルユニット２５５a、２５６aを左右に並べて設置している。センターケース２５５ｂの左右には普通図柄始動ゲート２２８，２２９が設けられている。センターケース２５５ｂと小当たり用大入賞口２３３との間に、特別図柄始動口２２１、２３１が左右並べて設置されている。本実施形態においても、大当たり用大入賞口２３５が遊技盤面上位1/3の領域２３７に、小当たり用大入賞口２３３が遊技盤面下位1/3の領域２３９に設けられているため、第１実施形態と同様の効果を発揮できる。さらに、図柄表示装置及び特別図柄始動口が２つずつ設けられているため、より遊技者の興趣を向上させることができる。
【００９５】
本実施例の遊技機２１０の制御系は図２８の通りに構成され、第２実施形態と同様に遊技機２１０は、主制御装置２５０、賞球制御装置２５１、発射制御装置２５２、図柄表示装置２５５、２５６、電飾制御装置２５３及び音制御装置２５４を備えている。第２実施形態と対比すると、図２８のブロック図においては、特別図柄始動口２２１への入賞球を検出する特別図柄始動口スイッチ２２１a、特別図柄始動口２３１への入賞球を検出する特別図柄始動口スイッチ２３１aの２つの特別図柄始動口スイッチと、遊技球が普通図柄始動ゲート２２８、２２９を通過したことを検出する普通図柄始動スイッチ２２８a、２２９a、普通電動役物２２０、２３０を開閉する普通役物ソレノイド２２０a、２３０aを備えている。
【００９６】
次に、図２９を用いて遊技盤２２２の裏面側の構成を説明する。大当たり用大入賞口２３５、特別図柄始動口２２１、２３１及び一般入賞口２３６から入球した遊技球は、裏球樋２４０の内側を通って遊技機２１０外に排出される。遊技盤面中央部の位置は、遊技盤面２２２上の図柄表示装置２５５、２５６の位置と重なるため、図柄表示装置２５５、２５６が組み込められるように穴２４８、２４９を設けている。
【００９７】
図３０は、遊技盤裏面に接して設置されている裏球樋２４０である。大当たり用大入賞口２３５が遊技盤上位1/3の領域２３７にあるため、大当たり用大入賞口２３５から入球した遊技球は裏球樋２４０上部の入口２４０ｂから裏球樋２４０内に入り、裏球樋２４０内側を通って出口２４０ｃから遊技機２１０外に排出される。また、特別図柄始動口２２１、２３１から入球した遊技球は裏球樋２４０下位部の入口２４０ｄから裏球樋２４０内に入り流下して出口２４０ｃ´から遊技機２１０外に排出され、一般入賞口２３６から入球した遊技球は裏球樋２４０下位部の入口２４０eから裏球樋２４０内に入り、流下して出口２４０ｃ´´から遊技機２１０外に排出される。裏球樋２４０の通路部２８４の両横側に図柄表示装置２５５、２５６が位置し、また特別図柄始動口２２１、２３１及び一般入賞口２３６から入球した遊技球を排出するため、裏球樋２４０の形は、遊技球の箱型の入り口部分から下方へ細く経路が伸び、下部に外側向きの突起部がある花型の形状となっている。
【００９８】
図３１、図３２、図３３を用いて裏球樋２４０をより詳細に説明する。裏球樋２４０は、上部に上面が開いた箱型の入り口部２８３、入り口部２８３から下方にまっすぐ伸びた経路の下端にドーナツ型の迂回経路がある通路部２８４、さらに下方に箱型で両横側に突起部分を持つ排出部２８５から構成される。
【００９９】
入り口部２８３は、大当たり用入賞口２３５から入球した遊技球を入口２４０ｂから裏球樋２４０内に導き、通路部２８４と接続されている出口２８３ｂから通路部２８４へ流下させる。入り口部２８３を通過した遊技球は、通路部２８４の入口２８４aから入り、通路部２８４内を通って落下し、下部の迂回経路で左右に迂回して出口２８４ｂから排出部２８５へ流下する。このとき、落下する遊技球を減速させるため、通路部２８４の内側面に、水平方向に等間隔で遊技球の落下の障害となるような半円柱状の減速用突起２８４ｃを設置する。減速用突起２８４ｃを設けることによって、遊技球は減速用突起２８４ｃに衝突を繰り返しながら落下するため減速する。ここで、減速用突起２８４ｃは、裏球樋２４０の構成部材と一体成形されたものでも、別途裏球樋２４０に設けられたものでもよく、遊技球の落下速度を減速させることが可能であれば特に限定しない。また、形状についても半円柱状でなくてもバネのような構造のものでも何等差し支えないものとする。また、通路部を落下してきた遊技球は迂回経路で迂回しながら流下するため、遊技球の流下速度はより減速して出口２８４ｂへ向かう。通路部の出口２８４ｂと排出部の入口２８５aは接続されており、通路部２８４から流下してきた遊技球は、排出部の入口２８５aから入り、出口２４０ｃから遊技機２１０外に排出される。また、特別図柄始動口２２１、２３１から入球した遊技球は、排出部２８５の上位左右に２つ設けられた入口２４０ｄから裏球樋２４０内に入り、出口２４０ｃ´から遊技機２１０外に排出される。一般入賞口２３６から入球した遊技球は、排出部２８５左右の突起部の末端及びその斜め下に設けられた４つの入口２４０eから裏球樋２４０内に入り、出口２４０ｃ´´から遊技機２１０外に排出される。
【０１００】
以上の図３０、図３１、図３２、図３３のような構成の裏球樋２４０を排出経路とすることによって、遊技盤上位1/3の領域２３７にある大当たり用大入賞口２３５、特別図柄始動口２２１、２３１及び一般入賞口２３６から遊技球が入球しても、遊技球の落下速度を減速させ、裏球樋２４０の破損を抑制または防止をすることができる。
【０１０１】
図３４は、遊技盤裏面に接して設置されている裏球樋２８６であり、裏球樋２４０の変更形態である。大当たり用大入賞口２３５に入球した遊技球は裏球樋２８６上位の入口２８６ｂから裏球樋２８６内に入り、裏球樋内側を通って出口２８６ｃから遊技機２１０外に排出される。また、特別図柄始動口２２１、２３１及び一般入賞口２３６から入球した遊技球は裏球樋２８６下位の入口２８６ｄ、２８６eから裏球樋２８６内に入り、流下して出口２８６ｃ´、２８６ｃ´´から遊技機２１０外に排出される。裏球樋２８６の形状は裏球樋２４０と同様の花型形状である。
【０１０２】
図３５、図３６、図３７を用いて裏球樋２８６を詳細に説明する。裏球樋２８６は上面が開いた箱型部分と下方にまっすぐ伸びた通路部分を組み合わせた入り口部２８７、その下端に中央が空洞のドーナツ型の受け止め部２８９、さらに下部に箱型の両横側に突起部分を持つ排出部２９０からなる。
【０１０３】
入り口部２８７は、大当たり用入賞口２３５から入球した遊技球を入口２８６ｂから裏球樋２８６内に導き、通路部分を通って流下させる。入り口部２８７を流下した遊技球は、入り口部の出口２８７ｂから受け止め部２８９に移る。受け止め部入口２８９aから流下してきた遊技球は、受け止め部中央部２８９eに衝突しながら左右に迂回して、出口２８９ｂから排出部２９０に流下する。遊技球を迂回させることによって遊技球の流下速度を減速させることができる。ここで受け止め部２８９には、遊技球の衝突が想定される入口から内部上面２８９ｃ、２８９ｄ及び中央部２８９eに、低反発性エラストマなどの緩衝部材又は金属板などの補強部材を設けている。これによって、入り口部２８７で加速した遊技球が受け止め部２８９側面に衝突しても、裏球樋２８６の破損を抑制または防いで出口２８９ｂから排出部２９０に流下させることができる。受け止め部の出口２８９ｂと排出部の入口２９０aは接続されており、排出部の入口２９０aから流下してきた遊技球は、裏球樋出口２８６ｃから遊技機２１０外に排出される。また、特別図柄始動口２２１、２３１から入球した遊技球は排出部２９０上部に２つ設けられた入口２８６ｄから裏球樋２８６内に入り、出口２８６ｃ´から遊技機２１０外に排出され、一般入賞口２３６から入球した遊技球は排出部２９０突起部の末端及びその斜め下に設けられた入口２８６eから裏球樋２８６内に入り、出口２８６ｃ´´から遊技機２１０外に排出される。
【０１０４】
以上の図３４、図３５、図３６、図３７のような構成の裏球樋２８６を排出経路とすることによって、遊技盤上位1/3の領域２３７にある大当たり用大入賞口２３５、特別図柄始動口２２１、２３１及び一般入賞口２３６から遊技球が入球しても、遊技球の衝撃を緩和させ、裏球樋２８６の破損を抑制または防止をすることができる。
【０１０５】
以上、本実施形態において、大当たり用大入賞口２３５が遊技盤面上位1/3の領域２３７に、小当たり用大入賞口２３３が遊技盤面下位1/3の領域２３９に設けられており、また大当たり用大入賞口２３５、特別図柄始動口２２１、２３１及び一般入賞口２３６から入球した遊技球が裏球樋２４０、２８６を経由して排出される構成になっているため、第１実施形態と同様の効果を発揮することができる。
【０１０６】
（第４実施形態）
図３８は遊技盤３２２の正面図、図３９は遊技盤３２２の裏面側であり、第３実施形態の構成要素に対応する本実施形態の構成要素の説明は、図中の符号を３００番台として説明を援用する。
【０１０７】
上記第３実施形態では、遊技盤面２２２中央部に図柄表示装置２５５と図柄表示装置２５６が左右に隣接して設置され、その直下近傍に特別図柄始動口２２１、２３１が左右並んで設けられていたが、本実施形態では図柄表示装置３５５と図柄表示装置３５６が上下に並べて設置され、図柄表示装置３５５と図柄表示装置３５６の間に特別図柄始動口３２１、３３１が左右に並べて設けられている。
【０１０８】
図３８を用いて遊技盤３２２の構成をより詳細に説明すると、第３実施形態と同様にして遊技盤面上位1/3の領域３３７に大当たり用大入賞口３３５を設け、遊技盤下位1/3の領域３３９に小当たり用大入賞口３３３を設けている。本実施形態においては、大当たり用大入賞口３３５の直下近傍に図柄表示装置３５５を設け、図柄表示装置３５５の左右斜め下に特別図柄始動口３２１、３３１が設置されている。さらに、特別図柄始動口３２１、３３１の両外側に普通図柄始動ゲート３２８、３２９が設けられている。特別図柄始動口３２１、３３１と小当たり用大入賞口３３３との間に、図柄表示装置３５６が設けられている。本実施形態においても、大当たり用大入賞３３５が遊技盤面上位1/3の領域３３７に、小当たり用大入賞口３３３が遊技盤面下位1/3の領域３３９に設けられているため、第１実施形態と同様の効果を発揮できる。さらに、図柄表示装置及び特別図柄始動口が２つずつ設けられているため、より遊技者の興趣を向上させることができる。
【０１０９】
本実施例の遊技機３１０の制御系は第３実施形態と同様である。第３実施形態の構成要素に対応する本実施形態の構成要素の説明は、図中の符号を３００番台として説明を援用する。
【０１１０】
次に、図３９を用いて遊技盤３２２の裏面側の構成について説明する。大当たり用大入賞口３３５、特別図柄始動口３２１、３３１及び一般入賞口３３６から入球した遊技球は、裏球樋３４０の内側を通って遊技機３１０外に排出される。大当たり用大入賞口３３５の下方及び小当たり用大入賞口３３３の上方の位置は、遊技盤面３２２上の図柄表示装置３５５、３５６の位置と重なるため、図柄表示装置３５５、３５６が組み込められるように穴３４８、３４９が設けられている。また、図柄表示装置３５５の左右斜め下には特別図柄始動口３２１、３３１が位置する。
【０１１１】
図４０は、遊技盤裏面に接して設置されている裏球樋３４０である。大当たり用大入賞口３３５が遊技盤上位1/3の領域３３７にあるため、大当たり用大入賞口３３５から入球した遊技球は、裏球樋３４０上位部の入口３４０aから裏球樋３４０内に入り、裏球樋内側を通って、出口３４０ｂ、３４０ｃから遊技機３１０外へ排出される。特別図柄始動口３２１、３３１から入球した遊技球は、突起部分３４１、３４２に設けられた入口３４０ｄから裏球樋３４０内に入り、一般入賞口３３６から入球した遊技球は、裏球樋３４０下部に設けられた入口３４０eから裏球樋３４０内に入り、出口３４０ｂ、３４０ｃから遊技機３１０外へ排出される。また、裏球樋３４０の遊技球入り口部分の下方３８０には図柄表示装置３５５が位置し、図柄表示装置３５５の左右斜め下３４１、３４２には特別図柄始動口３２１、３３１が位置し、さらに下方３８１には図柄表示装置３５６が位置する。そのため裏球樋３４０は、第１実施形態の裏球樋８０のようなアーチ形状でかつアーチの両横側に内向きに箱型の突起部分３４１、３４２がある形になっている。
【０１１２】
図４１、図４２、図４３を用いて裏球樋３４０を詳細に説明する。裏球樋３４０は、上部にアーチ状の入り口部３８３、その両端から下方に伸び箱型の突起部分のある通路部３８４、３８５、さらに通路部分３８４、３８５の夫々下部にあるL字型の排出部３８６、３８７からなる。
【０１１３】
入り口部３８３は、大当たり用大入賞口３３５から入球した遊技球を入口３４０aから裏球樋３４０内に導き、左右２方向に遊技球の流れを分け、通路部３８４、３８５と接続されている出口３８３ｂ、３８３ｃから通路部３８４、３８５へ流下させる。入り口部３８３を通過した遊技球は、通路部の入口３８４a、３８５aから通路部３８４、３８５内部を通って落下し、出口３８４ｂ、３８５ｂから排出部３８６、３８７へ流下する。このとき、落下する遊技球を減速させるため、遊技球が通過する通路部３８４、３８５の内側面に、水平方向に等間隔で遊技球の落下の障害となるような半円柱状の減速用突起３８４ｃ、３８５ｃが設置されている。ここで、減速用突起３８４ｃ、３８５ｃは、裏球樋３４０の構成部材と一体成形されたものでも、別途裏球樋３４０に設けられたものでもよく、遊技球の落下速度を減速せることが可能であれば特に限定しない。また、形状についても半円柱状でなくてもバネのような構造のものでも何等差し支えないものとする。通路部の出口３８４ｂ、３８５ｂと排出部の入口３８６a、３８７aは接続されており、通路部３８４、３８５から流下してきた遊技球は、排出部の入口３８６a、３８７aから排出部内に入り、出口３４０ｂ、３４０ｃから遊技機３１０外に排出される。
【０１１４】
また、特別図柄始動口３２１、３３１から入球した遊技球は、通路部３８４、３８５の突起部分３４１、３４２に設けられた入口３４０ｄから裏球樋３４０内に入り、通路部３８４、３８５内の減速用突起３８４ｃ、３８５ｃによって流下速度を減速して落下し、排出部３８６、３８７に移り、出口３４０ｂ、３４０ｃから遊技機３１０外に排出される。また、一般入賞口３３６から入球した遊技球は、一般入賞口３３６が位置する排出部３８６の右上部及びその左斜め下と排出部３８７の左上部及びその右斜め下に設けられた入口３４０eから裏球樋３４０内に入り、流下して出口３４０ｂ、３４０ｃから遊技機３１０外に排出される。
【０１１５】
以上の図４０、図４１、図４２、図４３の構成の裏球樋３４０を遊技球の排出経路とすることにより、遊技盤面上位1/3の領域３３７に設置されている大当たり用大入賞口３３５、遊技盤面中段の領域３３８に設置されている特別図柄始動口３２１、３３１及び一般入賞口３３６から遊技球が入球した場合でも、遊技球の流下速度を減速させ、遊技球の衝突による裏球樋３４０の破損を抑制または防止することができる。
【０１１６】
以上、本実施形態において、大当たり用大入賞口３３５が遊技盤面上位1/3の領域３３７に、小当たり用大入賞口３３３が遊技盤面下位1/3の領域３３９に設けられており、また大当たり用大入賞口３３５、特別図柄始動口３２１、３３１及び一般入賞口３３６から入球した遊技球が裏球樋３４０を経由して排出される構成になっているため、第１実施形態と同様の効果を発揮できる。
【０１１７】
次に、裏球樋８０、１４０、２４０、３４０の各部分の接続方法を図４４、図４５、図４６、図４７、図４８、図４９に示す。図４４は、ねじ方式による接続方法を示した図４４（ｃ）、（ｄ）と、ねじ方式で接続される裏球樋各部分の末端部４００、４０１を示した図である。裏球樋各部分の末端部４００、４０１には、ねじ山４００a、４０１aが設けられており、末端部４０１に末端部４００を回転させながら差し込むことによって組み立てる。
【０１１８】
図４５は、差込方式による接続方法を示した図４５（ｃ）、（ｄ）と、差込方式で接続される裏球樋各部分の末端部４０２、４０３を示した図である。裏球樋各部分の末端部４０２の挿入部分４０２ａを、裏球樋各部分の末端部４０３の挿入孔４０３ａにまっすぐ差し込み組み立てる。
【０１１９】
図４６は、図４５による接続法とあわせて矢じり型突起部分を差し込み穴に差し込むことによる接続方法を示した図４６（ｃ）、（ｄ）と、この方法で接続される裏球樋各部分の末端部４０４、４０５を示した図である。裏球樋各部分の末端部４０４に、裏球樋各部分の末端部４０４を切断する方向に横長の六角形の平面板４０４aを取り付け、平面板４０４aの両端に矢じり型の突起部分４０４ｃ、４０４ｄを平面板４０４aに対して垂直方向に設ける。ここで、平面板４０４aの形は特に六角形に限定されない。また、裏球樋各部分の末端部４０５にも平面板４０４aと同じ形の平面板４０５aを設け、その平面板４０４ｂの両端に差し込み穴４０５c、４０５dを設ける。裏球樋各部分の末端部４０４の挿入部分４０４ｂを裏球樋各部分の末端部の挿入孔４０５ｂに差し込むと同時に、矢じり型の突起部分４０４ｃ、４０４ｄを差し込み穴４０５c、４０５dに差し込み組み立てる。
【０１２０】
図４７は、図４６による接続法とあわせて矢じり型突起部分をねじ込むことによって組み立てる接続方法を示した図４７（ｃ）、（ｄ）と、この方法で接続される裏球樋各部分の末端部４０６、４０７を示した図である。裏球樋各部分の末端部４０６に、裏球樋各部分の末端部４０６を切断する方向に円形の平面板４０６aを取り付け、円形平面板４０６aの両端に矢じり型の突起部分４０６ｃ、４０６ｄを円形平面板４０６aに対して垂直方向に設ける。裏球樋各部分の末端部４０７にも円形の平面板４０７aを設け、円形平面板４０７aに矢じり型の突起部分４０６ｃ、４０６ｄを差し込む溝４０７ｃ、４０７ｄを設ける。裏球樋各部分の末端部４０６の挿入部分４０６ｂを裏球樋各部分の末端部４０７の挿入孔４０７ｂに差し込むと同時に、矢じり型の突起部分４０６ｃ、４０６ｄを溝４０７ｃ、４０７ｄに沿って回転させながら接続し組み立てる。
【０１２１】
図４８では、裏球樋末端部４０８の挿入部分４０８ｂの末端部側面に突起部分４０８ｃ、４０８ｄを設け、また裏球樋各部分の末端部４０９に突起部分４０８ｃ、４０８ｄが差し込まれる穴４０９ｃ、４０９ｄを設ける。差込部分４０８ｂを、裏球樋各部分の末端部４０９の挿入孔４０９ｂにまっすぐ差し込み、突起部分４０８ｃ、４０８ｄを穴４０９ｃ、４０９ｄに差し込むことによって接続される。
【０１２２】
図４９では、裏球樋末端部４１０に溝４１０ｃ、４１０ｄを設け、裏球樋末端部４１１には溝４１０ｃ、４１０ｄに沿って裏球樋末端部４１０に差し込められるように、裏球樋末端部４１１上位部に空洞４１１ｃ、４１１ｄを設ける。裏球樋末端部４１０に裏球樋末端部４１１を横から差し込み組み立てる。
【０１２３】
以上の図４４、図４５、図４６、図４７、図４８、図４９の接続方法により、遊技盤面上位1/3の領域３７に設置されている大当たり用大入賞口３５などから入球した遊技球が裏球樋８０、１４０、２４０、３４０に衝突することにより、裏球樋８０、１４０、２４０、３４０の接続部分が外れたり、または破損することを防ぐことができる。
【図面の簡単な説明】
【０１２４】
【図１】本発明を採用した遊技機１０の正面図である。
【図２】第１実施形態に係る遊技機１０の遊技盤２２の構成を示す正面図である。
【図３】第１実施形態に係る遊技機１０の電気的構成を示したブロック図である。
【図４】第１実施形態に係る選択ルーチンのフローチャートである。
【図５】第１実施形態に係る当たりルーチンのフローチャートである。
【図６】第１実施形態に係る小当たり処理のフローチャートである。
【図７】第１実施形態に係る遊技盤２２の裏面図である。
【図８】第１実施形態に係る遊技盤裏面に接して設置されている裏球樋８０の斜視図である。
【図９】第１実施形態に係る遊技盤裏面に接して設置されている裏球樋８０の分解斜視図である。
【図１０】第１実施形態に係る遊技盤裏面に接して設置されている裏球樋８０の正面図である。
【図１１】図９の通路部８４の拡大図である。
【図１２】第１実施形態に係る遊技盤裏面に接して設置された裏球樋８０の変更形態である裏球樋９０の斜視図である。
【図１３】第１実施形態に係る遊技盤裏面に接して設置された裏球樋８０の変更形態である裏球樋９０の分解斜視図である。
【図１４】第１実施形態に係る遊技盤裏面に接して設置された裏球樋８０の変更形態である裏球樋９０の正面図である。
【図１５】図１３の受け止め部９３の拡大図である。
【図１６】第２実施形態に係る遊技機１１０の遊技盤１２２の構成を示す正面図である。
【図１７】第２実施形態に係る遊技機１１０の電気的構成を示したブロック図である。
【図１８】第２実施形態に係る遊技盤１２２の裏面図である。
【図１９】第２実施形態に係る遊技盤裏面に接して設置されている裏球樋１４０の斜視図である。
【図２０】第２実施形態に係る遊技盤裏面に接して設置されている裏球樋１４０の分解斜視図である。
【図２１】第２実施形態に係る遊技盤裏面に接して設置されている裏球樋１４０の正面図である。
【図２２】図２０の通路部１４９の拡大図である。
【図２３】第２実施形態に係る遊技盤裏面に接して設置された裏球樋１４０の変更形態である裏球樋１６０の斜視図である。
【図２４】第２実施形態に係る遊技盤裏面に接して設置された裏球樋１４０の変更形態である裏球樋１６０の分解斜視図である。
【図２５】第２実施形態に係る遊技盤裏面に接して設置された裏球樋１４０の変更形態である裏球樋１６０の正面図である。
【図２６】図２４の受け止め部１６２の拡大図である。
【図２７】第３実施形態に係る遊技機２１０の遊技盤２２２の構成を示す正面図である。
【図２８】第３実施形態に係る遊技機２１０の電気的構成を示したブロック図である。
【図２９】第３実施形態に係る遊技盤２２２の裏面図である。
【図３０】第３実施形態に係る遊技盤裏面に接して設置されている裏球樋２４０の斜視図である。
【図３１】第３実施形態に係る遊技盤裏面に接して設置されている裏球樋２４０の分解斜視図である。
【図３２】第３実施形態に係る遊技盤裏面に接して設置されている裏球樋２４０の正面図である。
【図３３】図３１の通路部２８４の拡大図である。
【図３４】第３実施形態に係る遊技盤裏面に接して設置された裏球樋２４０の変更形態である裏球樋２８６の斜視図である。
【図３５】第３実施形態に係る遊技盤裏面に接して設置された裏球樋２４０の変更形態である裏球樋２８６の分解斜視図である。
【図３６】第３実施形態に係る遊技盤裏面に接して設置された裏球樋２４０の変更形態である裏球樋２８６の正面図である。
【図３７】図３５の受け止め部２８９の拡大図である。
【図３８】第４実施形態に係る遊技機３１０の遊技盤３２２の構成を示す正面図である。
【図３９】第４実施形態に係る遊技盤３２２の裏面図である。
【図４０】第４実施形態に係る遊技盤裏面に接して設置されている裏球樋３４０の斜視図である。
【図４１】第４実施形態に係る遊技盤裏面に接して設置されている裏球樋３４０の分解斜視図である。
【図４２】第４実施形態に係る遊技盤裏面に接して設置されている裏球樋３４０の正面図である。
【図４３】図４１の通路部３８４の拡大図である。
【図４４】裏球樋８０、１４０、２４０、３４０の各部分をねじ方式によって組み立てる接続方法を示した図である。
【図４５】裏球樋８０、１４０、２４０、３４０の各部分を差込方式によって組み立てる接続方法を示した図である。
【図４６】裏球樋８０、１４０、２４０、３４０の各部分を差込方式とあわせて矢じり型突起部分を差込むことによって組み立てる接続方法を示した図である。
【図４７】裏球樋８０、１４０、２４０、３４０の各部分を差込方式とあわせて矢じり型突起部分を溝に沿ってねじ込むことによって組み立てる接続方法を示した図である。
【図４８】裏球樋８０、１４０、２４０、３４０の各部分を挿入部分の末端部側面に突起部分を備えて組み立てる接続方法を示した図である。
【図４９】裏球樋８０、１４０、２４０、３４０の各部分を横からの差込方式によって組み立てる接続方法を示した図である。
【符号の説明】
【０１２５】
１０…遊技機    ２２…遊技盤    ２８、２９…普通図柄始動ゲート    ３１…特別図柄始動口    ３３…小当たり用大入賞口    ３５…大当たり用大入賞口    ３４…図柄表示装置    ８０…裏球樋
【図１】
2005348966.tif 000003
【図２】
2005348966.tif 000004
【図３】
2005348966.tif 000005
【図４】
2005348966.tif 000006
【図５】
2005348966.tif 000007
【図６】
2005348966.tif 000008
【図７】
2005348966.tif 000009
【図８】
2005348966.tif 000010
【図９】
2005348966.tif 000011
【図１０】
2005348966.tif 000012
【図１１】
2005348966.tif 000013
【図１２】
2005348966.tif 000014
【図１３】
2005348966.tif 000015
【図１４】
2005348966.tif 000016
【図１５】
2005348966.tif 000017
【図１６】
2005348966.tif 000018
【図１７】
2005348966.tif 000019
【図１８】
2005348966.tif 000020
【図１９】
2005348966.tif 000021
【図２０】
2005348966.tif 000022
【図２１】
2005348966.tif 000023
【図２２】
2005348966.tif 000024
【図２３】
2005348966.tif 000025
【図２４】
2005348966.tif 000026
【図２５】
2005348966.tif 000027
【図２６】
2005348966.tif 000028
【図２７】
2005348966.tif 000029
【図２８】
2005348966.tif 000030
【図２９】
2005348966.tif 000031
【図３０】
2005348966.tif 000032
【図３１】
2005348966.tif 000033
【図３２】
2005348966.tif 000034
【図３３】
2005348966.tif 000035
【図３４】
2005348966.tif 000036
【図３５】
2005348966.tif 000037
【図３６】
2005348966.tif 000038
【図３７】
2005348966.tif 000039
【図３８】
2005348966.tif 000040
【図３９】
2005348966.tif 000041
【図４０】
2005348966.tif 000042
【図４１】
2005348966.tif 000043
【図４２】
2005348966.tif 000044
【図４３】
2005348966.tif 000045
【図４４】
2005348966.tif 000046
【図４５】
2005348966.tif 000047
【図４６】
2005348966.tif 000048
【図４７】
2005348966.tif 000049
【図４８】
2005348966.tif 000050
【図４９】
2005348966.tif 000051